(57)【要約】【課題】リモート操作装置１０１と被リモート操作装置１０２とコンテンツ送信装置１０３とがネットワーク１０５で接続されており、リモート操作装置１０１が被リモート操作装置１０２へ送った指令をもとに、コンテンツ送信装置１０３がリモート操作装置１０１に動画像コンテンツ１３６を供給する場合に、該コンテンツを供給されるのが二回目以降である時は、前回再生した際の途中停止した位置から見られるようにする。【解決手段】被リモート操作装置１０２の記憶装置１２５に、動画コンテンツ１３６のネットワーク上の位置情報（ＵＲＬ）と前回再生を停止した場所の停止位置情報を記憶する。再生開始時に前記情報をリモート操作装置１０１が得てコンテンツ送信装置１０３に送ることにより、動画像コンテンツを再生する際に前回停止した位置から見ることができる。【選択図】図１
2010153939.tif 000002
【特許請求の範囲】
【請求項１】
ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置を有する動画像表示システムであって、
前記リモート操作装置が前記動画像コンテンツの再生指示を行なった場合、前記第２の記憶装置に記憶されている前記動画像コンテンツのネットワーク上の位置情報と停止位置情報を参照し、前記動画像コンテンツのネットワーク上の位置情報と停止位置情報に基づいて前記第１の記憶装置に記憶されている前記動画像コンテンツを読み出し、前記第１のリモート操作装置の前記入出力部に前記動画像コンテンツに対応する動画像を表示することを特徴とする動画像表示システム。
【請求項２】
請求項１に記載の動画像表示システムにおいて、前記被リモート操作装置が前記第２の記憶装置に記憶されている前記動画像コンテンツのネットワーク上の位置情報と停止位置情報を参照した場合において、前記停止位置情報が存在した場合には、前記動画像コンテンツが配信を停止した停止位置から前記動画像コンテンツを再生することを特徴とする動画像表示システム。
【請求項３】
請求項１に記載の動画像表示システムにおいて、前記被リモート操作装置が前記第２の記憶装置に記憶されている前記動画像コンテンツのネットワーク上の位置情報と停止位置情報を参照した場合において、前記停止位置情報が存在しない場合には、前記動画像コンテンツのネットワーク上の位置情報に基づいて前記動画像コンテンツの先頭から前記動画像コンテンツを再生することを特徴とする動画像表示システム。
【請求項４】
請求項１に記載の動画像表示システムにおいて、前記少なくとも１つのリモート操作装置は、入出力部を有する第１と第２のリモート操作装置であり、前記第１ないし第２のリモート操作装置のいずれかが前記動画像コンテンツの再生指示を行なった場合、前記被リモート操作装置は、前記第２の記憶装置に記憶されている前記動画像コンテンツのネットワーク上の位置情報と停止位置情報を参照し、前記動画像コンテンツのネットワーク上の位置情報と停止位置情報に基づいて前記第１の記憶装置に記憶されている前記動画像コンテンツを読み出し、前記再生指示を行なったリモート操作装置の前記入出力部に前記動画像コンテンツに対応する動画像を表示することを特徴とする動画像表示システム。
【請求項５】
請求項１または４のいずれか１項に記載の動画像表示システムにおいて、前記被リモート操作装置が前記動画像コンテンツの停止位置情報を更新する要求を受信した場合には、前記停止位置情報を更新することを特徴とする動画像表示システム。
【請求項６】
ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置と、入出力部を有し前記ネットワークから配信される前記動画像コンテンツのネットワーク上の位置情報と停止位置情報を記憶する第３の記憶装置を有すると共に前記動画像コンテンツを再生する再生装置を有する動画像表示システムであって、
前記再生装置が前記動画像コンテンツの再生指示を行なった場合、前記第２の記憶装置に記憶されている前記動画像コンテンツのネットワーク上の位置情報と停止位置情報、ならびに前記第３の記憶装置に記憶されている前記動画像コンテンツのネットワーク上の位置情報と停止位置情報を参照し、前記いずれかの動画像コンテンツのネットワーク上の位置情報と停止位置情報に基づいて前記第１の記憶装置に記憶されている前記動画像コンテンツを読み出し、前記再生装置の前記入出力部に前記動画像コンテンツに対応する動画像を表示することを特徴とする動画像表示システム。
【請求項７】
請求項６に記載の動画像表示システムにおいて、前記第２の記憶装置に記憶されている前記動画像コンテンツのネットワーク上の位置情報と停止位置情報、ならびに前記第３の記憶装置に記憶されている前記動画像コンテンツのネットワーク上の位置情報と停止位置情報の、いずれに基づいて前記第１の記憶装置に記憶されている前記動画像コンテンツを読み出すかを選択するための入力部を有することを特徴とする動画像表示システム。
【請求項８】
ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置を有する動画像表示システムの動画像表示方法であって、
前記動画像コンテンツが配信を停止された場合に前記動画像コンテンツの前記ネットワーク上の位置情報と前記停止位置情報を前記被リモート操作装置の前記第２の記憶装置に記憶する記憶ステップと、
前記動画像コンテンツを記憶する第１の記憶装置における前記動画像コンテンツのリストを前記第１のリモート操作装置に表示する表示ステップと、
前記第１のリモート操作装置に表示された動画像コンテンツのリストから、その内の１つの動画像コンテンツを選択するコンテンツ選択ステップと、
該コンテンツ選択ステップで選択された動画像コンテンツについて少なくとも前記動画像コンテンツの前記停止位置情報が前記第２の記憶装置に存在するか否かを判定するリジューム情報判定ステップと、
該リジューム情報判定ステップにおいて、前記動画像コンテンツの前記停止位置情報が存在すると判定した場合には、前記動画像コンテンツの配信を停止した停止位置から前記動画像コンテンツを再生し、前記リジューム情報判定ステップにおいて、前記動画像コンテンツの前記停止位置情報は存在しないと判定した場合には、前記動画像コンテンツの先頭から前記動画像コンテンツを再生する再生ステップと
を有したことを特徴とする動画像表示方法。
【請求項９】
ネットワークを介して、入出力部を有する少なくとも１つのリモート操作装置、および配信する動画像コンテンツを記憶する第１の記憶装置を有すると共に前記動画像コンテンツを前記ネットワークへ送信するコンテンツ送信装置と結合され、前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する動画像表示装置であって、
前記リモート操作装置が前記動画像コンテンツの再生指示を行なった場合、前記第２の記憶装置に記憶されている前記動画像コンテンツのネットワーク上の位置情報と停止位置情報を読み出し、前記ネットワークへ送信することを特徴とする動画像表示装置。
【請求項１０】
請求項９に記載の動画像表示装置において、前記動画像コンテンツの停止位置情報を更新する要求を受信した場合には、前記第２の記憶装置に記憶されている前記停止位置情報を更新することを特徴とする動画像表示装置。
【請求項１１】
ネットワークを介して、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置と結合され、入出力部を有し前記ネットワークから配信される前記動画像コンテンツのネットワーク上の位置情報と停止位置情報を記憶する第３の記憶装置を有すると共に前記動画像コンテンツを再生する動画像表示装置であって、
該動画像表示装置が前記動画像コンテンツの再生指示を行なった場合、前記第２の記憶装置に記憶されている前記動画像コンテンツのネットワーク上の位置情報と停止位置情報、ならびに前記第３の記憶装置に記憶されている前記動画像コンテンツのネットワーク上の位置情報と停止位置情報を参照し、前記いずれかの動画像コンテンツのネットワーク上の位置情報と停止位置情報に基づいて前記第１の記憶装置に記憶されている前記動画像コンテンツを前記第１の記憶装置に送信させ、前記入出力部に前記動画像コンテンツに対応する動画像を表示することを特徴とする動画像表示装置。
【発明の詳細な説明】
【技術分野】
【０００１】
本発明は動画像表示システム、動画像表示装置および動画像表示方法に係わり、特に動画像コンテンツの再生を行なう動画像表示システム、動画像表示装置および動画像表示方法に関する。
【背景技術】
【０００２】
ネットワークを経由して遠隔地にある装置を操作し、動画像コンテンツを受信して再生するための動画像表示システムが実用化されている。これは、遠隔地に被リモート操作装置を設置し、手元にあるリモート操作装置とネットワークで接続し、リモート操作装置に接続した入力装置からの操作情報を被リモート操作装置に送信し、これに応じて被リモート操作装置が出力した情報をリモート操作装置に送信し、これをリモート操作装置に接続した出力装置に出力して表示することで実現される。
【０００３】
このようなリモート操作システムにおいて、前記被リモート操作装置がネットワークに接続されたコンテンツ送信装置に格納された動画像コンテンツを、前記リモート操作装置に送信して前記出力装置に出力する場合には、被リモート操作装置がコンテンツ送信装置から動画像コンテンツを受信して再生し、受信再生された動画像コンテンツをリモート操作装置に送信して、リモート操作装置が出力装置に出力する方法がある。
【０００４】
しかし前記方法では、被リモート操作装置は受信した動画像コンテンツを復号した後、再度符号化してリモート操作装置に送信し、リモート操作装置がその動画像コンテンツを復号して出力装置に出力するため、画質が劣化するという問題があり、またネットワークの揺らぎの影響を大きく受けてエラーレートが増加するという問題がある。
【０００５】
そこで特許文献１においては、ネットワークに接続されたコンテンツ送信装置に格納された動画像コンテンツをリモート操作装置の出力装置に出力するときに、被リモート操作装置は動画像コンテンツのネットワーク上の位置情報をリモート操作装置に送信し、この位置情報をリモート操作装置がコンテンツ送信装置に送信することで、該動画像コンテンツをコンテンツ送信装置から受信して再生するようにし、被リモート操作装置を経由しないことで画質劣化やエラーレートの増加の少ない動画像再生を実現する方法を開示している。
【０００６】
【特許文献１】特開２００７−８８９６０号公報
【発明の開示】
【発明が解決しようとする課題】
【０００７】
前記した技術では、動画像コンテンツを途中から再生し、また複数のリモート操作装置が動画コンテンツを共有し、いずれか一つのリモート走査装置から動画像を再生することは検討されていなかった。
【０００８】
本発明の目的は、動画像コンテンツの途中からでも再生を可能にする動画像表示システム、動画像表示装置および動画像表示方法を提供することである。
【０００９】
本発明の他の目的は、動画像コンテンツの再生を途中で停止した後、もう一度再生する場合に、前回停止した位置から再開できる動画像表示システム、動画像表示装置および動画像表示方法を提供することにある。
【課題を解決するための手段】
【００１０】
前記目的を達成するため本発明は、ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置を有する動画像表示システムであって、前記リモート操作装置が前記動画像コンテンツの再生指示を行なった場合、前記第２の記憶装置に記憶されている前記動画像コンテンツのネットワーク上の位置情報と停止位置情報を参照し、前記動画像コンテンツのネットワーク上の位置情報と停止位置情報に基づいて前記第１の記憶装置に記憶されている前記動画像コンテンツを読み出し、前記第１のリモート操作装置の前記入出力部に前記動画像コンテンツに対応する動画像を表示することを特徴としている。
【００１１】
また本発明は、ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置と、入出力部を有し前記ネットワークから配信される前記動画像コンテンツのネットワーク上の位置情報と停止位置情報を記憶する第３の記憶装置を有すると共に前記動画像コンテンツを再生する再生装置を有する動画像表示システムであって、前記再生装置が前記動画像コンテンツの再生指示を行なった場合、前記第２の記憶装置に記憶されている前記動画像コンテンツのネットワーク上の位置情報と停止位置情報、ならびに前記第３の記憶装置に記憶されている前記動画像コンテンツのネットワーク上の位置情報と停止位置情報を参照し、前記いずれかの動画像コンテンツのネットワーク上の位置情報と停止位置情報に基づいて前記第１の記憶装置に記憶されている前記動画像コンテンツを読み出し、前記再生装置の前記入出力部に前記動画像コンテンツに対応する動画像を表示することを特徴としている。
【００１２】
また本発明は、ネットワークと、該ネットワークに結合され、入出力部を有する少なくとも１つのリモート操作装置と、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置を有する動画像表示システムの動画像表示方法であって、前記動画像コンテンツが配信を停止された場合に前記動画像コンテンツの前記ネットワーク上の位置情報と前記停止位置情報を前記被リモート操作装置の前記第２の記憶装置に記憶する記憶ステップと、前記動画像コンテンツを記憶する第１の記憶装置における前記動画像コンテンツのリストを前記第１のリモート操作装置に表示する表示ステップと、前記第１のリモート操作装置に表示された動画像コンテンツのリストから、その内の１つの動画像コンテンツを選択するコンテンツ選択ステップと、該コンテンツ選択ステップで選択された動画像コンテンツについて少なくとも前記動画像コンテンツの前記停止位置情報が前記第２の記憶装置に存在するか否かを判定するリジューム情報判定ステップと、該リジューム情報判定ステップにおいて、前記動画像コンテンツの前記停止位置情報が存在すると判定した場合には、前記動画像コンテンツの配信を停止した停止位置から前記動画像コンテンツを再生し、前記リジューム情報判定ステップにおいて、前記動画像コンテンツの前記停止位置情報は存在しないと判定した場合には、前記動画像コンテンツの先頭から前記動画像コンテンツを再生する再生ステップとを有したことを特徴としている。
【００１３】
また本発明は、ネットワークを介して、入出力部を有する少なくとも１つのリモート操作装置、および配信する動画像コンテンツを記憶する第１の記憶装置を有すると共に前記動画像コンテンツを前記ネットワークへ送信するコンテンツ送信装置と結合され、前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する動画像表示装置であって、前記リモート操作装置が前記動画像コンテンツの再生指示を行なった場合、前記第２の記憶装置に記憶されている前記動画像コンテンツのネットワーク上の位置情報と停止位置情報を読み出し、前記ネットワークへ送信することを特徴としている。
【００１４】
また本発明は、ネットワークを介して、配信する動画像コンテンツを記憶する第１の記憶装置を有すると共に前記動画像コンテンツを前記ネットワークへ送信するコンテンツ送信装置、および前記動画像コンテンツのネットワーク上の位置情報と停止位置情報を記憶する第２の記憶装置を有すると共に前記動画像コンテンツのネットワーク上の前記位置情報と前記停止位置情報を前記ネットワークへ送信する被リモート操作装置と結合され、入出力部を有し前記ネットワークから配信される前記動画像コンテンツのネットワーク上の位置情報と停止位置情報を記憶する第３の記憶装置を有すると共に前記動画像コンテンツを再生する動画像表示装置であって、該動画像表示装置が前記動画像コンテンツの再生指示を行なった場合、前記第２の記憶装置に記憶されている前記動画像コンテンツのネットワーク上の位置情報と停止位置情報、ならびに前記第３の記憶装置に記憶されている前記動画像コンテンツのネットワーク上の位置情報と停止位置情報を参照し、前記いずれかの動画像コンテンツのネットワーク上の位置情報と停止位置情報に基づいて前記第１の記憶装置に記憶されている前記動画像コンテンツを前記第１の記憶装置に送信させ、前記入出力部に前記動画像コンテンツに対応する動画像を表示することを特徴としている。
【発明の効果】
【００１５】
本発明によれば動画像コンテンツの途中からでも再生を可能にする動画像表示システム、動画像表示装置および動画像表示方法を実現できる。また、動画像コンテンツの再生を途中で停止した後、もう一度再生する場合に、前回停止した位置から再開できる動画像表示システム、動画像表示装置および動画像表示方法を実現でき、ユーザの使い勝手を大幅に向上できるという効果がある。
【発明を実施するための最良の形態】
【００１６】
以下、図面を参照しながら本発明の一実施例について説明する。
【実施例１】
【００１７】
図１は本発明の一実施例の概略構成を示すブロック図である。図１に示されるように、本実施形態に係る動画像表示システムはリモート操作装置Ａ１０１（第１のリモート操作装置ともいう）と、被リモート操作装置Ｂ１０２と、コンテンツ送信装置Ｃ１０３を有する。これらの装置はネットワーク１０５を介して相互に接続されている。なお、リモート操作装置Ａ、被リモート操作装置Ｂを動画像表示装置と称することもある。
【００１８】
ネットワーク１０５は、例えば、インターネット等の広域なネットワークやＬＡＮ（Ｌｏｃａｌ  Ａｒｅａ  Ｎｅｔｗｏｒｋ）等の狭い範囲のネットワーク等が使用可能であり、これらのネットワークを複数混在させても良い。
【００１９】
リモート操作装置Ａ１０１は、リモート操作を実現するリモート操作部１１１と、ネットワークを経由したデータ通信を実現する通信処理部１１２と、通信処理部１１２を利用してコンテンツ送信装置Ｃ１０３から受信した動画像コンテンツを再生する動画像再生部１１３とを備えており、さらに、リモート操作の操作情報を入力する入力装置１１４と、リモート操作の対象となる被リモート操作装置Ｂ１０２からの画面情報等を表示する出力装置１１５を備えている。なお、入力装置１１４と出力装置１１５は、総称して入出力部ともいう。
【００２０】
リモート操作装置Ａ１０１として、例えば、デスクトップ型パソコン、ノート型パソコン、ＰＤＡ（Ｐｅｒｓｏｎａｌ  Ｄｉｇｉｔａｌ  Ａｓｓｉｓｔａｎｔ）等が使用可能であるが、必ずしもこれに限定されるものではない。入力装置１１４は、例えば、キーボードやマウス等があるが、必ずしもこれに限定されるものではない。出力装置１１５は、例えば、液晶ディスプレイ等があるが、必ずしもこれに限定されるものではない。
【００２１】
被リモート操作装置Ｂ１０２は、被リモート操作を実現する被リモート操作部１２１と、
ネットワーク１０５を経由したデータ通信を実現する通信処理部１２２と、動画像コンテンツ閲覧のためにポータルサイトの表示や動画像コンテンツリストの表示・選択する処理、および動画像を選択したときに通信処理部１２２を利用して該動画像の情報をリモート操作装置Ａ１０１の動画像再生部１１３に送信する処理を行なうブラウザ部１２３と、リモート操作装置Ａ１０１の動画像再生部１１３がコンテンツ再生を途中で停止したときの停止位置情報を管理するリジューム管理部１２４とを備えており、さらにリジューム管理部１２４が管理する停止位置情報を格納するための記憶装置１２５（第２の記憶装置ともいう）を備える。リジューム管理部１２４が管理する停止位置情報をリジューム情報１２６と呼ぶ。
【００２２】
被リモート操作装置Ｂ１０２として、例えば、サーバ型パソコン等が利用可能であるが、必ずしもこれに限定されるものではない。記憶装置１２５は、例えば、ハードディスクドライブやフラッシュメモリ等があるが、必ずしもこれに限定されるものではない。また記憶装置１２５は、例えば、揮発メモリでもよい。
【００２３】
コンテンツ送信装置Ｃ１０３は、ネットワークを経由したデータ通信を実現する通信処理部１３１と、動画像コンテンツ１３６、ポータルサイトの文字や画像情報であるポータルコンテンツ１３５、動画像コンテンツ１３６のリストであるコンテンツリスト１３４の少なくも３つを格納するための記憶装置１３３（第１の記憶装置ともいう）と、記憶装置１３３に格納された動画像コンテンツ１３６とポータルコンテンツ１３５とコンテンツリスト１３４をネットワーク上の他の装置からの要求に応じて通信処理部１３１を利用して他の装置に送信する送信処理部１３２とを備えている。
【００２４】
コンテンツ送信装置Ｃ１０３として、例えば、サーバ型パソコン等があるが、必ずしもこれに限定されるものではない。記憶装置１３３は、例えば、ハードディスクドライブやフラッシュメモリ等があるが、必ずしもこれに限定されるものではない。
【００２５】
なお、リモート操作装置Ａ１０１と被リモート操作装置Ｂ１０２のいずれにおいても、一例としてパソコンをあげたように、これらの基本構成は類似することがある。このためリモート操作装置Ａと被リモート操作装置Ｂの役割を逆にすることが可能な場合もあるが、ここでは一例として１０１がリモート操作装置Ａ、１０２が被リモート操作装置Ｂとして機能する場合を説明する。これは特に本発明を限定するものではない。
【００２６】
また、ネットワーク１０５を介して接続されるリモート操作装置Ａ１０１、被リモート操作装置Ｂ１０２、コンテンツ送信装置Ｃ１０３が各々１個である場合をまず説明するが、当然ながらこれも限定条件ではない。後にリモート操作装置が複数ある場合も説明するが、リモート操作装置のみならず被リモート操作装置やコンテンツ送信装置を複数有する場合も本発明の範疇にある。
【００２７】
次に、図２と図３に示すフローチャート図を用いて、本発明の一実施例における処理の流れを説明する。まず図２を用いて、リモート操作装置Ａ１０１でネットワーク１０５を介して受信した動画像コンテンツ１３６を再生する処理について説明する。図２は本発明の一実施例を示すコンテンツ再生処理のフローチャートである。
リモート操作装置Ａ１０１のリモート操作部１１１は通信処理部１１２を用いて、ネットワーク１０５経由で被リモート操作装置Ｂ１０２にリモート操作接続要求を送信する。被リモート操作装置Ｂ１０２の被リモート操作部１２１は通信処理部１２２を用いてリモート操作装置Ａ１０１のリモート操作接続要求を受け付け、リモート機器接続が確立する（ステップＳ２０２）。即ち、リモート操作装置Ａ１０１と被リモート操作装置Ｂ１０２とが接続される。
【００２８】
リモート機器接続が確立すると、以後、リモート操作装置Ａ１０１が備える入力装置１１４でユーザによって入力された操作情報は、リモート操作部１１１によって通信処理部１１２を用いてネットワーク１０５経由で被リモート操作装置Ｂ１０２に送信されるようになる。被リモート操作装置Ｂ１０２に送信された操作情報は通信処理部１２２を用いて被リモート操作部１２１が受信し、被リモート操作装置Ｂ１０２内にインストールされたアプリケーションソフトウェア（図示せず）に通知される。本実施例では被リモート操作装置Ｂ１０２内のアプリケーションソフトウェアとしてブラウザ部１２３が動作するものとする。そのためブラウザ部１２３に前記操作情報が通知される。
【００２９】
リモート機器接続が確立すると、以後、被リモート操作装置Ｂ１０２のブラウザ部１２３等のアプリケーションソフトウェアが、リモート操作装置Ａ１０１に接続された出力装置１１５に出力される画面情報（これについては後述する）を表示したり、あるいは更新したりする。この場合、画面情報は被リモート操作部１２１によって通信処理部１２２を用いてネットワーク１０５経由でリモート操作装置Ａ１０１に送信されるようになる。リモート操作装置Ａ１０１に送信された画面情報は通信処理部１１２を用いてリモート操作部１１１が受信し、リモート操作装置Ａ１０１に接続された出力装置１１５に出力される。
【００３０】
更に詳述すると、まず、被リモート操作装置Ｂ１０２の画面情報がリモート操作装置Ａ１０１に送信され（ステップＳ２０３）、リモート操作装置Ａ１０１はこの画面情報を出力装置１１５に出力する（ステップＳ２０４）。
【００３１】
本実施例では、リモート機器接続が確立したときに出力装置１１５に表示される画面情報は、あらかじめブラウザ部が取得していたポータルコンテンツ１３５の画面とする。図４は本発明の一実施例における出力装置１１５に表示されるポータルコンテンツ１３５の表示画面４０１の一実施例を示す。図４に示す通り、表示画面４０１には再生することができるコンテンツのリストが表示される。図４では、コンテンツリスト１、コンテンツリスト２、コンテンツリスト３が表示され、その内の１つを選択することが出来る。これらリストは動画像コンテンツ１３６のリストや動画像コンテンツ１３６のネットワーク上の位置情報を示しており、このような情報としてＵＲＬ（Ｕｎｉｆｏｒｍ  Ｒｅｓｏｕｒｃｅ  Ｌｏｃａｔｏｒ）などがある。
【００３２】
入力装置１１４を用いてコンテンツリスト、例えば、コンテンツリスト１を選択すると、ブラウザ部１２３は通信処理部１２２を用いてコンテンツ送信装置Ｃ１０３に対してコンテンツリスト１の取得を要求する（ステップＳ２０５）。
【００３３】
コンテンツ送信装置１０３は通信処理部１３１を用いて受信したコンテンツリスト１の取得要求を解析し、要求されたコンテンツリスト１をコンテンツリスト１３４から読み込み、通信処理部１３１を用いて被リモート操作装置Ｂ１０２に送信する。被リモート操作装置Ｂ１０２のブラウザ部１２３は通信処理部１２２を用いてコンテンツ送信装置Ｃ１０３が送信したコンテンツリスト１を受信する（ステップＳ２０６）。
【００３４】
ブラウザ部１２３は受信したコンテンツリスト１の表示を被リモート操作部１２１に要求する。被リモート操作部１２１は該表示要求をステップＳ２０３、Ｓ２０４と同様の処理でリモート操作装置Ａ１０１の出力装置１１５に出力する（ステップＳ２０７）。図５はコンテンツリスト１を出力装置１１５に表示した表示画面５０１の一実施例を示し、動画像コンテンツ１、動画像コンテンツ２、動画像コンテンツ３が示されている。
【００３５】
出力された動画像コンテンツリストの中から、ユーザは入力装置１１４を用いて再生したい動画像コンテンツの１つ、例えば、動画像コンテンツ１を選択し、コンテンツ送信装置Ｃ１０３に要求することができる。入力装置１１４を用いて動画像コンテンツ１を選択すると（ステップＳ２０８）、ブラウザ部１２３はリジューム管理部１２４に選択された動画像コンテンツ１に対応したリジューム情報が存在するか否かを確認する（ステップＳ２０９）。
【００３６】
リジューム情報は前述したように動画像のＵＲＬと停止位置情報が対応づけられて記憶装置１２５に格納されている。この動画像のＵＲＬと停止位置情報の一実施例を図６に示す。図６は本発明の一実施例を示し、動画像コンテンツ１に対応したＵＲＬと停止位置情報との対応関係を示す一実施例である。ここでは動画像コンテンツのＵＲＬと停止位置情報が並べて格納してある。ＵＲＬは、選択された動画像コンテンツの位置を示し、停止位置情報は、例えば、動画像コンテンツの先頭からのバイト数や時間のオフセットを表している。
【００３７】
従って、リジューム管理部１２４は動画像コンテンツ１に対応したリジューム情報が記憶装置１２５に格納されたリジューム情報１２６に存在するか否かを確認し、結果をブラウザ部１２３に応答する。即ち、リジューム情報が存在する場合（図中のステップ２０９のＹｅｓ）、ブラウザ部１２３はリモート操作装置Ａ１０１に動画像コンテンツ１のＵＲＬとリジューム情報を送信し（ステップＳ２１０）、リジューム情報が存在しない場合（図中のＮｏ）は動画像コンテンツ１のＵＲＬのみを送信する（ステップＳ２１１）。
【００３８】
リモート操作装置Ａ１０１は受信した情報がＵＲＬとリジューム情報であるか、ＵＲＬのみであるかを判別する（ステップＳ２１２）。そして、ＵＲＬとリジューム情報とを受信した場合は（図中のＹｅｓ）、コンテンツ送信装置Ｃ１０３に対して、図６に示すリジューム情報に記載された停止位置情報とＵＲＬが示す動画像コンテンツの取得を要求する（ステップＳ２１３）。この場合、例えばコンテンツ送信装置Ｃ１０３への取得要求をＨＴＴＰ（Ｈｙｐｅｒｔｅｘｔ  Ｔｒａｎｓｆｅｒ  Ｐｒｏｔｏｃｏｌ）形式の取得で行なう場合は、取得要求のヘッダ部に停止位置情報を記載することで、停止位置以降の動画像を入手することが出来る。また、リモート操作装置Ａ１０１がＵＲＬのみ受信した場合は（図中のＮｏ）、コンテンツ送信装置Ｃ１０３に対して、ＵＲＬが示す動画像コンテンツの取得を動画像コンテンツ１の先頭から要求する（ステップＳ２１４）。例えばコンテンツ送信装置Ｃ１０３への取得要求がＨＴＴＰ形式の取得で行なう場合は、取得要求のヘッダ部に停止位置情報を記載しない。
【００３９】
コンテンツ送信装置Ｃ１０３は通信処理部１３１を用いて受信した動画像コンテンツの取得要求を解析し、要求された動画像コンテンツ１を動画像コンテンツ１３６から読み込み、通信処理部１３１を用いてリモート操作装置Ａ１０１に送信する。リモート操作装置Ａ１０１は通信処理部１１２を用いてコンテンツ送信装置Ｃ１０３から動画像コンテンツ１を受信し、動画像再生部１１３を用いて出力装置１１５に出力する（ステップＳ２１５）。
【００４０】
ステップＳ２０２からＳ２１５に示す処理によって、ユーザはリモート操作において、動画像コンテンツを再生する際に、被リモート操作装置Ｂ１０２を経由せず、直接コンテンツ送信装置Ｃ１０３からリモート操作装置Ａ１０１で動画像コンテンツを受信して再生することが可能になる。また、再生する動画像コンテンツを以前に再生したことがある場合は、その動画像コンテンツの再生を停止した停止位置からもう一度再生できる。即ち、直前に再生を停止した停止位置から、もう一度再生するための情報、すなわちリジューム情報を被リモート操作装置Ｂ１０２の記憶装置１２５に格納しておくことで、リモート操作装置Ａ１０１はリジューム情報を保持する必要がなくなる。同様に、リジューム情報を被リモート操作装置Ｂ１０２に格納しておくことで、コンテンツ送信装置Ｃ１０３はリジューム情報を保持する必要がなくなる。
【００４１】
次に、図３を用いて、リモート操作装置Ａ１０１で動画像コンテンツの再生を停止し、リジューム情報を被リモート操作装置Ｂ１０２に送信する処理について説明する。図３は本発明の一実施例を示すコンテンツ再生停止処理のフローチャートである。
ユーザが入力装置１１４を用いて動画像再生部１１３に再生中の動画像コンテンツの再生停止を指示したとき、あるいは、リモート操作装置Ａ１０１とコンテンツ送信装置Ｃ１０３との間のネットワーク接続が切断された時など、動画像再生部１１３が動画像コンテンツの再生を停止すると（ステップＳ３０２）、動画像再生部１１３は該コンテンツの停止位置が該コンテンツの終端であるか否かを判定する（ステップＳ３０３）。
【００４２】
該コンテンツの停止位置が終端でない場合は（図中のＮｏ）、該コンテンツのＵＲＬと停止位置情報を被リモート操作装置Ｂ１０２に送信する（ステップＳ３０４）。被リモート操作装置Ｂ１０２の被リモート操作部１２１は通信処理部１２２を用いてリモート操作装置Ａ１０１が送信したＵＲＬと停止位置情報を受信し、リジューム管理部１２４に通知する。リジューム管理部１２４は受信したＵＲＬと停止位置情報のうち、ＵＲＬに対応したリジューム情報が記憶装置１２５に格納されたリジューム情報１２６に存在するか否かを確認し（ステップＳ３０５）、存在する場合は（図中のＹｅｓ）該当するリジューム情報をリモート操作装置Ａ１０１から受信した停止位置情報で更新し、処理を終了する（ステップＳ３１１）。存在しない場合は（図中のＮｏ）該ＵＲＬに対応するリジューム情報をリモート操作装置Ａ１０１から受信した停止位置情報から新規に作成する（ステップＳ３０７）。そして、処理を終了する（ステップＳ３１１）。
【００４３】
一方、さきのステップＳ３０３において、停止位置がコンテンツの終端である場合は（図中のＹｅｓ）、通信処理部１１２を用いて該コンテンツのＵＲＬに対応するリジューム情報の削除要求を被リモート操作装置Ｂ１０２に送信する（ステップＳ３０８）。被リモート操作装置Ｂ１０２の被リモート操作部１２１は通信処理部１２２を用いてリモート操作装置Ａ１０１が送信したＵＲＬに対応するリジューム情報の削除要求を受信し、リジューム管理部１２４に通知する。リジューム管理部１２４は該ＵＲＬに対応するリジューム情報が、記憶装置１２５に格納されたリジューム情報１２６に存在するか否かを確認し（ステップＳ３０９）、存在する場合は（図中のＹｅｓ）該当するリジューム情報を削除し（ステップＳ３１０）、処理を終了する（ステップＳ３１１）。また、存在しない場合は（図中のＮｏ）このまま処理を終了する（ステップＳ３１１）。なお、上記実施例では、更新のステップは、広い意味で停止位置情報の削除あるいは新規作成をも含むものとする。
【００４４】
ステップＳ３０１からＳ３１１に示す処理によって、動画像コンテンツを停止したときに、停止位置情報をリジューム情報として被リモート操作装置Ｂ１０２の記憶装置１２５に格納することが可能になる。
【００４５】
本実施例によれば、リモート操作装置Ａ１０１やコンテンツ送信装置Ｃ１０３が停止位置情報を一時的にあるいは恒久的に保持することができなくても、前回停止した位置から動画像コンテンツを再生することができる。
【００４６】
なお、ここではリモート操作装置Ａ１０１を一人のユーザが使う場合を例に説明してきたが、複数のユーザが使う場合には各々のユーザに対する停止位置情報が必要である。この場合は、動画像コンテンツの再生ないし再生停止をする際に、各ユーザに固有なユーザＩＤをリモート操作装置から送信するようにし、さきに図６で示したＵＲＬと停止位置情報の対応表をユーザＩＤごとに作成すると良い。
【実施例２】
【００４７】
次に、本発明の別な一実施例について説明する。
【００４８】
図７は本発明の別な一実施例の概略構成のブロック図である。図７に示されるように、本実施形態に係るシステムはリモート操作装置Ａ１０１（第１のリモート操作装置）と、被リモート操作装置Ｂ１０２と、コンテンツ送信装置Ｃ１０３と、リモート操作装置Ｄ１０４（第２のリモート操作装置ともいう）を有する。これらの装置はネットワーク１０５を介して相互に接続されている。
【００４９】
リモート操作装置Ａ１０１と被リモート操作装置Ｂ１０２とコンテンツ送信装置Ｃ１０３とネットワーク１０５は、実施例１と同様のものであり、同じものには同じ符号が付されている。リモート操作装置Ｄ１０４はリモート操作装置Ａ１０１と同様の構成であるが、別の装置である。すなわちリモート操作装置が複数個ある場合を示している。
【００５０】
図８は図７に示す本発明の別な一実施例のコンテンツ再生処理のフローチャートである。これを用いて本実施例における処理の流れを述べる。図８はリモート操作装置Ｄ１０４で動画像コンテンツを再生する処理について示している。
【００５１】
まず、図７において、リモート操作装置Ａ１０１が動画像コンテンツ１３６を再生している時、その途中で停止して、リジューム情報が記憶装置１２５に格納されているものとする。その後、ユーザが使用する装置をリモート操作装置Ｄ１０４に変更して動画像コンテンツを再生する場合について述べる。これは、ユーザが最初リモート操作装置Ａ１０１で動画像の再生を行っていたが、途中で、一旦中断し、別の場所で再びリモート操作装置Ｄ１０４を用いて前の続きの動画像を再生する場合等が考えられ、ユーザにとっては、使い勝手の良い画像表示システムが実現できる。
図８において、ステップＳ５０１からＳ５０８に示す処理は、先の実施例１で説明した図２記載のステップＳ２０１からＳ２０８に示す処理と類似しているため、簡単に説明する。
【００５２】
まず、リモート操作装置Ｄ１０４と被リモート操作装置Ｂ１０２との接続をステップＳ２０２と同様にして確立する（ステップＳ５０２）。リモート操作装置Ｄ１０４と被リモート操作装置Ｂ１０２との接続が確立されると、被リモート操作装置Ｂ１０２の画面情報がリモート操作装置Ｄ１０４に送信され（ステップＳ５０３）、リモート操作装置Ｄ１０４はこの画面情報を出力装置１４５に出力する（ステップＳ５０４）。リモート操作装置Ｄ１０４の入力装置１４４を用いて、例えば、図４に示すコンテンツリスト、例えば、コンテンツリスト１を選択すると、ブラウザ部１２３は通信処理部１２２を用いてコンテンツ送信装置Ｃ１０３に対してコンテンツリスト１の取得を要求する（ステップＳ５０５）。
【００５３】
コンテンツ送信装置Ｃ１０３は通信処理部１３１を用いて受信したコンテンツリスト１の取得要求を解析し、要求されたコンテンツリスト１に対応する動画像コンテンツリストを動画像コンテンツリスト１３４から読み込み、通信処理部１３１を用いて被リモート操作装置Ｂ１０２に送信する。被リモート操作装置Ｂ１０２のブラウザ部１２３は通信処理部１２２を用いてコンテンツ送信装置Ｃ１０３が送信された動画像コンテンツリストを受信する（ステップＳ５０６）。
【００５４】
ブラウザ部１２３は、受信した動画像コンテンツリストの表示を被リモート操作部１２１に要求する。被リモート操作部１２１は該表示要求をステップＳ２０３、Ｓ２０４と同様の処理でリモート操作装置Ｄ１０４の出力装置１４５に出力する（ステップＳ５０７）。図５は、例えば、動画像コンテンツリストが表示された表示画面５０１である。
【００５５】
出力された動画像コンテンツリストの中から、ユーザは入力装置１４４を用いて再生させる動画像コンテンツ１を選択すると（ステップＳ５０８）、ブラウザ部１２３はリジューム管理部１２４に動画像コンテンツ１のＵＲＬに対応したリジューム情報が存在するか否かを確認する（ステップＳ５０９）。リジューム管理部１２４は動画像コンテンツ１のＵＲＬに対応したリジューム情報が記憶装置１２５に格納されたリジューム情報１２６に存在するか否かを確認し、結果をブラウザ部１２３に応答する。リジューム情報が存在する場合（図中のＹｅｓ）、ブラウザ部１２３はリモート操作装置Ｄ１０４に動画像コンテンツ１のＵＲＬとリジューム情報を送信し（ステップＳ５１０）、リジューム情報が存在しない場合は（図中のＮｏ）、該リンクのＵＲＬのみを送信する（ステップＳ５１１）。
【００５６】
このとき、リジューム情報は動画像コンテンツ１のＵＲＬとそれに対応する停止位置情報で示されるため、ステップＳ５０８で動画像コンテンツを選択する際に、以前リモート操作装置Ａ１０１で再生し、動画像コンテンツの途中で停止した動画像コンテンツを選択すると、リモート操作装置Ａ１０１で停止した停止位置情報をリモート操作装置Ｄ１０４で取得することができる。そのため、リモート操作装置Ａ１０１とリモート操作装置Ｄ１０４が異なる装置であっても、同一のリジューム情報を利用することが可能となる。
Ｓ５１２からＳ５１５に示す処理は、リモート操作装置Ｄ１０４の処理であるが、実施例１で説明した図２記載のＳ２１２からＳ２１５に示すリモート操作装置Ａ１０１の処理と同様であるため、ここでは説明を省略する。
【００５７】
ステップＳ５０２からステップＳ５１５に示す処理によって、二つのリモート操作装置Ａ１０１とＤ１０４がある場合においても、同一のまたは共通のリジューム情報を利用することが可能となる。また、リモート操作装置が３つ以上存在していても同様にして、同一のリジューム情報を共通に利用することが可能である。
【００５８】
本実施例によれば、二台以上リモート操作装置が存在する動画像表示システムにおいて、あらかじめ一台目のリモート操作装置が被リモート操作装置に送信していた停止位置情報をもう一台のリモート操作装置が利用することで、一台目のリモート操作装置ともう一台のリモート操作装置が通信する必要がなくなるため、一方のリモート操作装置を利用するときに、もう一方のリモート操作装置の電源を切断していても、あるいは、もう一方のリモート操作装置がネットワークに接続されていなくても、前回停止した位置からコンテンツの再生を再開することができる。
【００５９】
なお、ここでは複数のリモート操作装置を同一のユーザが使う場合を例に説明してきたが、複数のユーザが使う場合には各々のユーザに対する停止位置情報が必要である。この場合は、動画像コンテンツの再生ないし再生停止をする際に、各ユーザに固有なユーザＩＤをリモート操作装置から送信するようにし、さきに図６で示したＵＲＬと停止位置情報の対応表をユーザＩＤごとに作成すると良い。
【実施例３】
【００６０】
以下、図面を参照しながら本発明のさらに別な一実施例について説明する。
【００６１】
図９は本発明のさらに別な一実施例を示す概略構成のブロック図である。図９に示されるように、本実施形態に係るシステムはリモート操作装置Ａ１０１と、被リモート操作装置Ｂ１０２と、コンテンツ送信装置Ｃ１０３と、再生装置Ｅ１０６とで構成される。これらの機器はネットワーク１０５を介して相互に接続されている。
【００６２】
リモート操作装置Ａ１０１と被リモート操作装置Ｂ１０２とコンテンツ送信装置Ｃ１０３とネットワーク１０５は、実施例１と同様のものである。再生装置Ｅ１０６はリモート操作装置Ａ１０１とは別の装置であり、次の点が異なっている。すなわち再生装置Ｅ１０６はブラウザ部１６１、リジューム管理部１６４、リジューム情報１６８を記憶する記憶装置１６７を備えている点が、リモート操作装置Ａ１０１とは異なっている。通信処理部１６２、動画再生部１６３、入力装置１６５、出力装置１６６は同様のものであって良い。また、リモート操作部１６９については、後記するように被リモート操作装置Ｂ１０２の記憶装置１２５に格納されたリジューム情報１２６を利用するなどのために備えているが、これを利用せず単体の再生装置として機能する場合は備えなくとも良い。
【００６３】
本実施例では、最初に再生装置Ｅ１０６の出力装置１１５に表示される画面情報は、あらかじめブラウザ部１６１が取得していたポータルコンテンツ１３５の画面とする。その表示画面は、さきに図４の表示画面４０１で示した一実施例と同様で良い。表示画面４０１には再生することができるコンテンツのリストが表示される。コンテンツリスト１、コンテンツリスト２、コンテンツリスト３が表示され、その内の１つを選択することが出来る。
【００６４】
入力装置１６５を用いてコンテンツリスト、例えば、コンテンツリスト１を選択すると、ブラウザ部１６１は通信処理部１６２を用いてコンテンツ送信装置Ｃ１０３に対してコンテンツリスト１の取得を要求する。
【００６５】
コンテンツ送信装置１０３は通信処理部１３１を用いて受信したコンテンツリスト１の取得要求を解析し、要求されたコンテンツリスト１をコンテンツリスト１３４から読み込み、通信処理部１３１を用いて再生装置Ｅ１０６に送信する。再生装置Ｅ１０６のブラウザ部１６１は通信処理部１６２を用いてコンテンツ送信装置Ｃ１０３が送信したコンテンツリスト１を受信する。
【００６６】
このコンテンツリスト１を出力装置１１５に出力する。その表示画面は、さきに図５の表示画面５０１で示した一実施例と同様で良い。表示画面５０１には再生することができる動画像コンテンツのリストが表示される。動画像コンテンツ１、動画像コンテンツ２、動画像コンテンツ３が示され、その内の１つを選択することが出来る。
【００６７】
出力された動画像コンテンツリストの中から、ユーザは入力装置１６５を用いて再生したい動画像コンテンツの１つ、例えば、動画像コンテンツ１を選択し、コンテンツ送信装置Ｃ１０３に要求することができる。入力装置１６５を用いて動画像コンテンツ１を選択すると、後に詳しく説明するように、ブラウザ部１６１は選択された動画像コンテンツ１に対応したリジューム情報が存在するか否かを確認する。
【００６８】
コンテンツ送信装置Ｃ１０３は通信処理部１３１を用いて受信した動画像コンテンツの取得要求を解析し、要求された動画像コンテンツ１３６を記憶装置１３３から読み込み、通信処理部１３１を用いて再生装置Ｅ１０６に送信する。再生装置Ｅ１０６は通信処理部１６２を用いてコンテンツ送信装置Ｃ１０３から動画像コンテンツを受信し、動画像再生部１６３を用いて出力装置１６６に出力する。
【００６９】
次にリジューム機能について説明する。再生装置Ｅ１０６が前記動画コンテンツを再生中に、ユーザが入力装置１６５から再生を停止するよう指示した場合、リジューム管理部１６４は再生を停止した位置を示すリジューム情報１６８を、記憶装置１６７に格納する。リモート操作部１６９と、さきの被リモート操作装置Ｂ１０２の被リモート操作部１２１との間で、リモート機器接続が確立している場合には、同じリジューム情報をネットワーク１０５を介して、被リモート操作装置Ｂ１０２の記憶装置１２５にも格納する。
【００７０】
次いでリモート操作装置Ａ１０１が同じ動画コンテンツを再生する際は、前記した場合と同様に被リモート操作装置Ｂの記憶装置１２５に格納されたリジューム情報を用いて、さきに再生装置Ｅ１０６で停止した位置から再生を開始することができる。これにより再生装置Ｅ１０６が自分の部屋にあり、リモート操作装置Ａ１０１が他の場所にある場合においても、動画コンテンツを再生する際にリジューム情報を利用することができる。
【００７１】
次いでリモート操作装置Ａ１０１が途中で再生を停止する場合は、前記したように被リモート操作装置Ｂの記憶装置１２５に格納されたリジューム情報が更新される。リモート操作装置Ａ１０１が動画コンテンツの終端まで再生した場合は、前記したように被リモート操作装置Ｂの記憶装置１２５に格納されたリジューム情報は削除される。
【００７２】
次いで再生装置Ｅ１０６が再度同じ動画コンテンツを再生する際は、最初から再生しても良く、再生装置Ｅ１０６の記憶装置１６７に記憶されたリジューム情報１６８を用いて再生を開始しても良く、また被リモート操作装置Ｂの記憶装置１２５に格納されたリジューム情報１２６を用いて再生を開始しても良い。前記したようにリモート操作装置Ａ１０１が再生を行って、被リモート操作装置Ｂの記憶装置１２５に格納されたリジューム情報１２６が更新された場合には、リジューム情報１６８ではなくリジューム情報１２６が最新情報となるため、これを利用すると良い。
【００７３】
しかし、リジューム情報１２６は再生装置Ｅ１０６からみて、ネットワーク１０５を介した先にあるため、取得するまでに時間がかかる場合がある。この場合はリジューム情報１２６を取得できるまでの間は、最初から再生するか、リジューム情報１６８を用いて再生を開始するかのいずれかを選択するようにすると良い。リジューム情報１２６を取得できた後は、さらにこれも選択できるようにすると良い。さらには、更新した時刻から判断して、リジューム情報１２６とリジューム情報１６８のいずれが最新情報であるかを判定するための表示を、出力装置１６６に行っても良い。
【００７４】
これにより一度他の装置を使用して動画コンテンツを再生した後、再度自分の部屋に戻って再生装置Ｅ１０６を使用して再生する場合においても、リジューム情報を利用することができる。
【００７５】
次いで再生装置Ｅ１０６が途中で再生を停止し、あるいは動画コンテンツの終端まで再生した場合は、前記と同様に再生装置Ｅ１０６の記憶装置１６７に格納されたリジューム情報１６８、および被リモート操作装置Ｂの記憶装置１２５に格納されたリジューム情報１２６が更新され、あるいは削除される。
【００７６】
以上のようにすることで、自室で見る場合と外出先など他の場所で見る場合を繰返しても、前回停止した位置から再生を開始することができる。また二つのリジューム情報のいずれかを選択できるようにすると、前回いずれの場所で停止した位置から再生するかを選択できる。被リモート操作装置Ｂ１０２からのリジューム情報１２６を得るまで時間がかかる場合にも、再生装置Ｅ１０６が装置内に有するリジューム情報１６８を用いてすぐに再生を開始できるなど、ユーザに対して選択肢を広げ利便性を向上する効果がある。
【００７７】
次に本実施例の動作フローを説明する。図１０は本発明のさらに別な一実施例を示すコンテンツ再生処理のフローチャートである。これに基づき説明する。
まずユーザが入力装置１１４を操作することで、コンテンツ送信装置Ｃ１０３の有する動画像コンテンツ１の再生指示が発せられる（ステップＳ６０２）。次いでブラウザ部１６１は被リモート操作装置Ｂ１０２（図中ではサーバと記する）のリジューム管理部１２４より選択された動画像コンテンツ１に対応したリジューム情報の取得を要求する（ステップＳ６０３）。
【００７８】
被リモート操作装置Ｂ１０２からのリジューム情報を待ちながら、再生装置Ｅ１０６（図中ではローカルと記する）のリジューム管理部１６４にリジューム情報があるかを問合せる（ステップＳ６０４）。
【００７９】
ステップＳ６０４で、再生装置Ｅ１０６のリジューム管理部１６４にリジューム情報があると判定された場合には（図中のＹｅｓ）、該リジューム情報が示す位置から再生開始するか（図中のローカル）、動画像コンテンツの先頭から再生開始するかを、入力装置１６５からのユーザの指示に従って決定する（ステップＳ６０５）。また、先のステップＳ６０３での取得要求に応じて、被リモート操作装置Ｂ１０２のリジューム管理部１２４からリジューム情報を取得した場合には、いずれのリジューム情報が示す位置から再生開始するか（図中のローカル、またはサーバ）、動画像コンテンツの先頭から再生開始するかを、入力装置１６５からのユーザの指示に従って決定する（ステップＳ６０６）。
【００８０】
ステップＳ６０４で、再生装置Ｅ１０６のリジューム管理部１６４にリジューム情報がないと判定された場合には（図中のＮｏ）、まず動画像コンテンツの先頭から再生開始ように決定するが（ステップＳ６０８）、先のステップＳ６０３での取得要求に応じて、被リモート操作装置Ｂ１０２のリジューム管理部１２４からリジューム情報を取得した場合には、該リジューム情報が示す位置から再生開始するか（図中のサーバ）、動画像コンテンツの先頭から再生開始するかを、入力装置１６５からのユーザの指示に従って決定する（ステップＳ６１０）。
【００８１】
いずれの場合においても、再生装置Ｅ１０６のリジューム管理部１６４からのリジューム情報を使用するよう指示された場合には、コンテンツ送信装置Ｃ１０３より該リジューム情報の示す位置から動画像コンテンツを取得する（ステップＳ６０７）。被リモート操作装置Ｂ１０２のリジューム管理部１２４から取得したリジューム情報を使用するよう指示された場合には、該リジューム情報の示す位置から動画像コンテンツを取得する（ステップＳ６１１）。動画像コンテンツの先頭から再生開始するよう指示された場合には、先頭から動画像コンテンツを取得する（ステップＳ６０９）。
このようにして動画像コンテンツを取得し、再生を開始し（ステップＳ６１２）、フローを終了する（ステップＳ６１３）。
【００８２】
図１１から図１５は、本発明のさらに別な一実施例を示す出力装置１１５に表示される操作画面の一実施例を示す図である。
図１１は、先の図１０のステップＳ６０５で被リモート操作装置Ｂ１０２のリジューム管理部１２４からリジューム情報を取得していない段階の、出力装置１６６での操作画面１１０１を示す。このため、被リモート操作装置Ｂ１０２のリジューム管理部１２４からリジューム情報を用いて再生を開始する指示ができないよう、該当する選択肢の表示は隠されている。先頭から再生するか、再生装置Ｅ１０６のリジューム管理部１６４のリジューム情報を用いて再生を開始するかの二つから選択できるようになっている。ユーザの選択は入力装置１６５を用いて行われる。
【００８３】
図１２と図１３は、先のステップＳ６０６における出力装置１６６での操作画面１２０１，１３０１を示す。この場合は前記したとおり３つの選択肢が表示される。二つのリジューム情報のうち、再生装置Ｅ１０６のリジュームが最新であれば図１２のように表示される。被リモート操作装置Ｂ１０２のリジューム情報が最新であれば図１３のように表示される。このためユーザは最新のリジューム情報を使用する選択ができるのみならず、必要に応じて、以前のリジューム情報を使用する選択もできる。
【００８４】
図１４は、先の図１０のステップＳ６０８で被リモート操作装置Ｂ１０２のリジューム管理部１２４からリジューム情報を取得していない段階の、出力装置１６６での操作画面１４０１を示す。このステップでは先頭から再生開始する方法しか選べないため、他の選択肢の表示は隠されている。
【００８５】
図１５は、先のステップＳ６１０における出力装置１６６での操作画面１５０１を示す。このステップでは先頭から再生開始するか、被リモート操作装置Ｂ１０２のリジューム管理部１２４からリジューム情報を用いて再生を開始するかの二つから選択できるようになっている。再生装置Ｅ１０６のリジューム管理部１６４のリジューム情報を用いて再生を開始する指示ができないよう、該当する選択肢の表示は隠されている。
【００８６】
このようにしてユーザに対して、分かり易い操作方法を提供することができ、装置の使い勝手の向上に寄与することができる。
【００８７】
以上、本発明について詳細に説明したが、本発明は、ここに記載された動画像表示システムおよび動画像表示方法の実施例に限定されるものではなく、他の動画像表示システムおよび動画像表示方法にも広く適用できることは言うまでもない。
【図面の簡単な説明】
【００８８】
【図１】本発明の一実施例の概略構成のブロック図である。
【図２】本発明の一実施例を示すコンテンツ再生処理のフローチャートである。
【図３】本発明の一実施例を示すコンテンツ再生停止処理のフローチャートである。
【図４】本発明の一実施例を示す出力装置１１５に表示されるコンテンツリストの表示画面の一実施例を示す図である。
【図５】本発明の一実施例を示す出力装置１１５に表示される動画像コンテンツの表示画面の一実施例を示す図である。
【図６】本発明の一実施例のＵＲＬと停止位置情報との対応表の一実施例である。
【図７】本発明の別な一実施例の概略構成のブロック図である。
【図８】本発明の別な一実施例のコンテンツ再生処理のフローチャートである。
【図９】本発明のさらに別な一実施例を示す概略構成のブロック図である。
【図１０】本発明のさらに別な一実施例を示すコンテンツ再生処理のフローチャートである。
【図１１】本発明のさらに別な一実施例を示す出力装置１１５に表示される操作画面の一実施例を示す図である。
【図１２】本発明のさらに別な一実施例を示す出力装置１１５に表示される操作画面の一実施例を示す図である。
【図１３】本発明のさらに別な一実施例を示す出力装置１１５に表示される操作画面の一実施例を示す図である。
【図１４】本発明のさらに別な一実施例を示す出力装置１１５に表示される操作画面の一実施例を示す図である。
【図１５】本発明のさらに別な一実施例を示す出力装置１１５に表示される操作画面の一実施例を示す図である。
【符号の説明】
【００８９】
１０１：リモート操作装置Ａ、１０２：被リモート操作機器Ｂ、１０３：コンテンツ送信機器Ｃ、１０４：リモート操作機器Ｄ、１０６：再生装置Ｅ、１１１，１４１：リモート操作部、１１２，１２２，１３１，１４２，１６２：通信処理部、１１３，１４３，１６３：動画像再生部、１１４，１４４，１６５：入力装置、１１５，１４５，１６６：出力装置、１２１：被リモート操作部、１２３，１６１：ブラウザ部、１２４，１６４：リジューム管理部、１２５，１３３，１６７：記憶装置、１２６．１６８：リジューム情報、１３２：送信処理部、１３４：コンテンツリスト、１３５：ポータルコンテンツ、１３６：動画像コンテンツ。
【図１】
2010153939.tif 000003
【図２】
2010153939.tif 000004
【図３】
2010153939.tif 000005
【図４】
2010153939.tif 000006
【図５】
2010153939.tif 000007
【図６】
2010153939.tif 000008
【図７】
2010153939.tif 000009
【図８】
2010153939.tif 000010
【図９】
2010153939.tif 000011
【図１０】
2010153939.tif 000012
【図１１】
2010153939.tif 000013
【図１２】
2010153939.tif 000014
【図１３】
2010153939.tif 000015
【図１４】
2010153939.tif 000016
【図１５】
2010153939.tif 000017